(57)【要約】【課題】吸引ファンの吸引能力が一定のままであっても、吸引特性を切換えることができる吸煙装置を提供する。【解決手段】吸引ファンと、吸引ファンを覆うケース５と、吸引ファンを回転駆動する駆動手段とを具備し、ケース５は、吸引ファンの排気側に面し排気口２７を有する排気側端面部１１と、排気側端面部１１の周縁に繋がっていて吸引ファンの周囲を覆う側面部１４と、吸引ファンの吸引側に側面部１４の内部空間と連通可能に設けられた第１吸引部（第１吸引壁１７等）と、第１吸引部１７とは異なる位置に、側面部１４の内部空間と連通可能に設けられ、第１吸引部とは吸引特性が異なる第２吸引部（一対の第２吸引壁１９等）とを少なくとも有し、第１吸引部及び第２吸引部のうちの少なくとも一方から吸引を行う構成となっている。【選択図】図２
2010276295.tif 000002
【特許請求の範囲】
【請求項１】
吸引ファンと、前記吸引ファンを覆うケースと、前記吸引ファンを回転駆動する駆動手段とを具備し、
前記ケースは、前記吸引ファンの排気側に面し排気口を有する排気側端面部と、前記排気側端面部の周縁に繋がっていて前記吸引ファンの周囲を覆う側面部と、前記吸引ファンの吸引側に前記側面部の内部空間と連通可能に設けられた第１吸引部と、前記第１吸引部とは異なる位置に、前記側面部の内部空間と連通可能に設けられ、前記第１吸引部とは吸引特性が異なる第２吸引部とを少なくとも有し、前記第１吸引部及び前記第２吸引部のうちの少なくとも一方から吸引を行う構成となっていることを特徴とする吸煙装置。
【請求項２】
請求項１に記載の吸煙装置において、
前記第１吸引部は、前記側面部から排気側端面部とは反対側に突出して設けられた第１吸引壁を有し、この第１吸引壁が、当該第１吸引壁の周端部によって形成される第１吸引口と前記側面部の内部空間とを連通させる第１通路として機能し、
前記第２吸引部は、前記側面部及び前記第１吸引壁に跨って形成された一対の第２吸引壁を有し、これら一対の第２吸引壁の間に第２吸引口が形成されるとともに、その第２吸引口と前記側面部の内部空間とを連通させる第２通路が、前記第１吸引壁における前記一対の第２吸引壁間の隔壁部に両吸引口を連通させるように形成した連通孔を含んで構成され、
前記第１吸引部と前記第２吸引部とのうちの少なくとも一方が、選択使用される構成となっていることを特徴とする吸煙装置。
【請求項３】
請求項２に記載の吸煙装置において、
前記連通孔の開口面積が、前記側面部の開口面積よりも小になるように形成されていることを特徴とする吸煙装置。
【請求項４】
請求項２または３に記載の吸煙装置において、
前記一対の第２吸引壁における排気側の端部どうしの間に、前記第２吸引壁と同じ突出長さの補助壁が形成されていて、前記第２吸引口が前記一対の第２吸引壁と前記補助壁と前記隔壁部とで囲まれた部分により形成されていることを特徴とする吸煙装置。
【請求項５】
請求項２乃至４のいずれかに記載の吸煙装置において、
前記一対の第２吸引壁における前記側面部とは反対側の端部を被配置面上に載せることにより前記第１通路が選択使用され、前記第１吸引壁を前記被配置面に載せることにより前記第２通路が選択使用されるようになっていることを特徴とする吸煙装置。
【請求項６】
請求項５に記載の吸煙装置において、
前記第１吸引口を構成する前記第１吸引壁の周端部が同一平面上に位置するように形成されていることを特徴とする吸煙装置。
【請求項７】
請求項５または６に記載の吸煙装置において、
前記隔壁部が、前記側面部の吸引側端部から前記周端部に向けて前記吸引ファンの軸心線から離れるように傾斜していることを特徴とする吸煙装置。
【請求項８】
請求項２乃至４のいずれかに記載の吸煙装置において、
前記ケースの前記第１吸引口と第２吸引口との一方を塞ぐ開閉手段を備えることを特徴とする吸煙装置。
【請求項９】
請求項８に記載の吸煙装置において、
前記開閉手段は、前記第１吸引口の開閉と第２吸引口の開閉とに共用されることを特徴とする吸煙装置。
【請求項１０】
請求項８または９記載の吸煙装置において、
前記ケースがスタンドに取付けられる取付部を有することを特徴とする吸煙装置。
【発明の詳細な説明】
【技術分野】
【０００１】
本発明は、例えばはんだ付けの際にはんだから発生する煙などを吸煙する吸煙装置に関する。
【背景技術】
【０００２】
上述した吸煙装置として、吸引口と排気口を有する筐体の内部に吸引ファンが回転駆動されるように設けられたものが知られている（例えば、特許文献１等参照）。
【０００３】
この特許文献１の吸煙装置は、はんだ付けをするテーブルに取り付けられていて、はんだ付けを行う際にはんだから発生した煙を吸引するように構成されている。
【先行技術文献】
【特許文献】
【０００４】
【特許文献１】特開平１１−３８３２８号公報
【発明の概要】
【発明が解決しようとする課題】
【０００５】
ところで、上記特許文献１の吸煙装置による場合には、テーブルに固定した状態に吸煙装置が取り付けられているので、吸煙装置の傾きや位置などを変化させることができないために吸引特性を変えることができなかった。そこで、羽根が大きい或いは回転速度が速いなどの能力が大きい吸引ファンを用い、その回転速度の切換えにより吸引特性を変化させることが考えられる。しかしながら、能力が大きい吸引ファンを用いて、回転速度の切換えを可能とすることは、コストが高くなる点で好ましいとは言えない。
【０００６】
本発明は、このような従来技術の課題を解決するためになされたものであり、吸引ファンの吸引能力が一定のままであっても、吸引特性を切換えることができる吸煙装置を提供することを目的とする。
【課題を解決するための手段】
【０００７】
請求項１に係る発明は、吸引ファンと、前記吸引ファンを覆うケースと、前記吸引ファンを回転駆動する駆動手段とを具備し、前記ケースは、前記吸引ファンの排気側に面し排気口を有する排気側端面部と、前記排気側端面部の周縁に繋がっていて前記吸引ファンの周囲を覆う側面部と、前記吸引ファンの吸引側に前記側面部の内部空間と連通可能に設けられた第１吸引部と、前記第１吸引部とは異なる位置に、前記側面部の内部空間と連通可能に設けられ、前記第１吸引部とは吸引特性が異なる第２吸引部とを少なくとも有し、前記第１吸引部及び前記第２吸引部のうちの少なくとも一方から吸引を行う構成となっていることを特徴とする。
【０００８】
請求項２に係る発明は、請求項１に記載の吸煙装置において、前記第１吸引部は、前記側面部から排気側端面部とは反対側に突出して設けられた第１吸引壁を有し、この第１吸引壁が、当該第１吸引壁の周端部によって形成される第１吸引口と前記側面部の内部空間とを連通させる第１通路として機能し、前記第２吸引部は、前記側面部及び前記第１吸引壁に跨って形成された一対の第２吸引壁を有し、これら一対の第２吸引壁の間に第２吸引口が形成されるとともに、その第２吸引口と前記側面部の内部空間とを連通させる第２通路が、前記第１吸引壁における前記一対の第２吸引壁間の隔壁部に両吸引口を連通させるように形成した連通孔を含んで構成され、前記第１吸引部と前記第２吸引部とのうちの少なくとも一方が、選択使用される構成となっていることを特徴とする。
【０００９】
請求項３に係る発明は、請求項２に記載の吸煙装置において、前記連通孔の開口面積が、前記側面部の開口面積よりも小になるように形成されていることを特徴とする。
【００１０】
請求項４に係る発明は、請求項２または３に記載の吸煙装置において、前記一対の第２吸引壁における排気側の端部どうしの間に、前記第２吸引壁と同じ突出長さの補助壁が形成されていて、前記第２吸引口が前記一対の第２吸引壁と前記補助壁と前記隔壁部とで囲まれた部分により形成されていることを特徴とする。
【００１１】
請求項５に係る発明は、請求項２乃至４のいずれかに記載の吸煙装置において、前記一対の第２吸引壁における前記側面部とは反対側の端部を被配置面上に載せることにより前記第１通路が選択使用され、前記第１吸引壁を前記被配置面に載せることにより前記第２通路が選択使用されるようになっていることを特徴とする。
【００１２】
請求項６に係る発明は、請求項５に記載の吸煙装置において、前記第１吸引口を構成する前記第１吸引壁の周端部が同一平面上に位置するように形成されていることを特徴とする。
【００１３】
請求項７に係る発明は、請求項５または６に記載の吸煙装置において、前記隔壁部が、前記側面部の吸引側端部から前記周端部に向けて前記吸引ファンの軸心線から離れるように傾斜していることを特徴とする。
【００１４】
請求項８に係る発明は、請求項２乃至４のいずれかに記載の吸煙装置において、前記ケースの前記第１吸引口と第２吸引口との一方を塞ぐ開閉手段を備えることを特徴とする。
【００１５】
請求項９に係る発明は、請求項８に記載の吸煙装置において、前記開閉手段は、前記第１吸引口の開閉と第２吸引口の開閉とに共用されることを特徴とする。
【００１６】
請求項１０に係る発明は、請求項８または９記載の吸煙装置において、前記ケースがスタンドに取付けられる取付部を有することを特徴とする。
【発明の効果】
【００１７】
本発明による場合には、第１吸引部から吸引することと第２吸引部から吸引することとの少なくとも一方を選択して用いることができる。このとき、第１吸引部と第２吸引部との吸引特性が異なっているので、選択する吸引部の相違により吸引特性が変化する。これに伴って、吸引ファンの回転速度などを変えることなく、つまり吸引ファンの吸引能力が一定のままであっても、吸引特性を切換えることが可能になる。
【００１８】
このとき、請求項２の場合には、第１通路は第１吸引部を選択することで用いられ、連通孔を有する第２通路は第２吸引部を選択することで用いられる。
【００１９】
また、請求項３のように、連通孔の開口面積を、側面部の開口面積よりも小になるようにすることで、第２通路を選択使用するときの吸引速度を、第１通路を選択使用するときの吸引速度よりも大にすることができる。
【００２０】
また、請求項４による場合には、第１吸引部を吸引に用いるときに、一対の第２吸引壁の間で構成される第２吸引口をおよそ塞ぐことが可能になる。
【００２１】
更に、請求項５による場合には、一対の第２吸引壁における側面部とは反対側の端部を被配置面上に載せることにより第１通路が選択使用される。一方、第１吸引壁を被配置面に載せることにより第２通路が選択使用される。
【００２２】
更に、請求項６による場合には、第１吸引壁の周端部（第１吸引口）が同一平面上に位置するように形成されているので、第１吸引壁の周端部を被配置面に載せると、第１吸引口が完全に塞がれる。
【００２３】
更にまた、請求項７による場合には、隔壁部が、側面部の吸引側端部から周端部に向けて吸引ファンの軸心線から離れるように傾斜しているので、第１通路から吸引するときに隔壁部が側面部の吸引側開口へエアを案内する機能を有することになる。
【００２４】
更にまた、請求項８による場合には、ケースの第１吸引口と第２吸引口との一方を塞ぐ開閉手段を備えるので、開閉手段により第１吸引口を塞ぐと第２吸引口から吸引したエアを、第２通路を介して側面部の内部へ送ることになる。一方、開閉手段により第２吸引口を塞ぐと第１吸引口から吸引したエアを、第１通路を介して側面部の内部へ送ることになる。
【００２５】
更にまた、請求項９による場合には、開閉手段を、第１吸引口の開閉と第２吸引口の開閉とに共用するので、紛失する虞が無い。
【００２６】
更にまた、請求項１０による場合には、ケースを、取付部を介してスタンドに取付けると、ケースの下を半田付け作業に利用し得る。
【図面の簡単な説明】
【００２７】
【図１】本発明の一実施形態に係る吸煙装置における第１の使用状態を示す外観斜視図である。
【図２】図１のII−II線による断面図である。
【図３】図１の吸煙装置における第２の使用状態を示す外観斜視図である。
【図４】吸煙装置における第２の使用状態を斜め後方から見た外観斜視図である。
【図５】吸煙装置における第２の使用状態を示す側面図（図３の右側面図）である。
【図６】図１の吸煙装置における第３の使用状態を示す外観斜視図である。
【図７】図１の吸煙装置における第３の使用状態を示す外観斜視図であり、蓋の取付位置を変えた状態を示す図である。
【図８】本発明の他の実施形態に係る吸煙装置をその排気側から見た外観斜視図である。
【図９】図８に示す吸煙装置の側面図（一部破砕図）である。
【発明を実施するための形態】
【００２８】
以下に、本発明の実施形態を具体的に説明する。
【００２９】
図１は本実施形態に係る吸煙装置における第１の使用状態を示す外観斜視図で、図２は図１のII−II線による断面図、図３はその吸煙装置における第２の使用状態を示す外観斜視図であり、図４は吸煙装置における第２の使用状態を斜め後方から見た外観斜視図である。また、図５は吸煙装置における第２の使用状態を示す側面図（図３の右側面図）であり、図６は吸煙装置における第３の使用状態を示す斜視図である。なお、図２では吸引ファンと駆動手段とを省略して示している。
【００３０】
この吸煙装置１は、吸引ファン３と、吸引ファン３を覆うケース５と、吸引ファン３を回転駆動する駆動手段７とを具備し、図１、図２に示す第１の使用状態Ａと、図３、図４に示す第２の使用状態Ｂと、図６に示すスタンド３０を用いる第３の使用状態Ｃとで用いることが可能である。駆動手段７としては、電動モータが使用されている（図５参照）。
【００３１】
ケース５は、吸引ファン３の排気側に面する矩形状の排気側端面部１１と、その端面部１１の周縁に繋がっていて吸引ファン３の周囲を覆う側面部１４と、吸引ファン３の吸引側に設けられたフィルタ取付部１５とを有する。
【００３２】
側面部１４は、排気側端面部１１とフィルタ取付部１５との間にあって、吸引ファン３の回転域の周面を覆うもので、本実施形態においては吸引ファン３の軸心３ａと直交する方向において断面矩形状に形成されている。側面部１４の互いに対向する外表面には、取付部としての凹部１４ｂが設けられており、これら凹部１４ｂには、スタンド３０に備わった概略Ｃ字状をした取付金具３０ａの両端が取付けられる。上記凹部１４ｂのそれぞれは、後述する面部１４ａの隣の面部に配されている。上記スタンド３０を用いる場合には、第３の使用状態Ｃを採ることが可能であり、例えば吸煙装置１の全体を被配置面２から浮上させ、かつ、所望の角度に傾けた状態で使用することが可能である。
【００３３】
上記側面部１４におけるフィルタ取付部１５の側（吸引ファン３の吸引側）には、第１吸引壁１７が形成されている。この第１吸引壁１７は、断面矩形状をした側面部１４の全周から排気側端面部１１とは反対側に突出し、かつ排気側端面部１１とは反対側へ向かうにしたがって広がるように形成されている。第１吸引壁１７の先端である周端部（側面部１４とは反対側）１８は第１吸引口として機能し、第１吸引壁１７で囲まれた内側の空間は第１吸引口と側面部１４の内部空間とを連通する第１通路を構成する。この第１通路と上記第１吸引口とで第１吸引部が構成される。
【００３４】
上記側面部１４の４側面のうちの１つの面部１４ａとこの面部１４ａに繋がる第１吸引壁１７の第１面部１７ａとには、一対の第２吸引壁１９、１９が設けられている。この一対の第２吸引壁１９、１９は、面部１４ａから所定長で突出し、面部１４ａと第１面部１７ａに跨っている。上記一対の第２吸引壁１９、１９は、吸引ファン３の軸心３ａと平行であって、面部１４ａ、第１面部１７ａの両端に形成されており、両第２吸引壁１９、１９の間は第２吸引口を構成する。第２吸引口は、一対の第２吸引壁１９、１９の排気側端部１９ｂ、１９ｂの間の部分と、面部１４ａとは反対側の端部１９ａ、１９ａの間の部分とに亘って形成される。
【００３５】
前記第１吸引壁１７における両吸引口（第１吸引口と第２吸引口）の間に位置する部分である、一対の第２吸引壁１９、１９の間の隔壁部（前記第１吸引壁１７の第１面部）１７ａには前記両吸引口を連通させる連通孔２１が形成されている。上記連通孔２１は、隔壁部１７ａに設けられた矩形状の孔２１ｂと、この孔２１ｂにつながるように上記側面部１４の面部１４ａの吸引側端部の２箇所に半円形に切欠かれた切欠部２１ａとを含んで構成される。孔２１ｂは、隔壁部１７ａの幅よりも狭いもの、或いは、矩形状とは異なる丸孔等でもよい。また、切欠部２１ａは２箇所に限らず、１箇所または３箇所以上でもよく、半円形状、矩形状等としてもよい。なお、上記隔壁部１７ａは、図５に示すように、側面部１４の吸引側端部から周端部１８に向けて吸引ファン３の軸心３ａから離れるように傾斜している。
【００３６】
上記端部１９ｂ、１９ｂの間の部分及び端部１９ａ、１９ａの間の部分により構成される第２吸引口と側面部１４の内部空間とは、一対の第２吸引壁１９、１９の間の部分と連通孔２１（２１ａを含む）とを含んで構成される第２通路で連通連結される。この第２通路と上記第２吸引口とで、第２吸引部が構成されていて、上記第２通路で導入されたエアは、連通孔２１を経た後に第１吸引壁１７の内部空間（第１通路）を通って側面部１４の内部空間に送られる。上記連通孔２１は、その開口面積（Ｓ１）が側面部１４の内部空間の開口面積（Ｓ２）及び後述する排気口２７の開口面積（Ｓ４）よりも十分に小さくなるように設計されている（図２参照）。また、前記開口面積（Ｓ２）は、第１吸引口の開口面積（Ｓ３）よりも小さい（図２参照）。
【００３７】
上記一対の第２吸引壁１９、１９は、第２の使用状態Ｂのときに端部１９ａを被配置面２に載せるように使用される。このとき、端部１９ａが排気側端面部１１及びフィルタ取付部１５と略直交するように形成されているので、第２の使用状態Ｂのとき、側面部１４における吸引ファン３の吸引側及び排気側がほぼ水平方向を向くようになり、また、端部１９ａが被配置面２に載った状態で吸煙装置１が自立する。
【００３８】
また、第１吸引壁１７の周端部１８は、同一平面上に位置するように形成されていて、第１の使用状態Ａのときに被配置面２に置くように使用され、その使用状態において、被配置面２と周端部１８との間には隙間の形成が無いようになっている。なお、第１の使用状態Ａのとき、側面部１４における吸引ファン３の吸引側及び排気側がほぼ鉛直方向を向くようになる。
【００３９】
前記フィルタ取付部１５は、側面部１４と同様に吸引ファン３の軸心３ａと直交する方向において断面矩形状に形成され、その内側は空洞になっている。フィルタ取付部１５には格子状のグリル２３が設けられており、そのグリル２３の外側にはフィルタ２５が取り付けられ、フィルタ取付部１５の第１吸引壁１７側の四隅にはフィルタ２５の脱落を防止する突起１５ａが内側に向けて突出形成されている。フィルタ２５の脱落防止手段として、突起１５ａに代えて、他の構造のものを用いることができる。なお、上記フィルタ２５は、使用環境に応じた特性のものが選択的に用いられる。
【００４０】
また、排気側端面部１１には排気口２７が設けられていて、その排気口２７には排気方向を規制する多数の羽根片２８が形成されている。上記羽根片２８は、第１の使用状態Ａに吸煙装置１をセットしたとき、気体を上方かつ第２吸引口とは反対方向へ向けて排出する傾斜状態に形成されている。なお、各羽根片２８は平行に配設されていて、隣り合う羽根片２８の間が前記排気口２７として機能する。
【００４１】
このように構成された本実施形態に係る吸煙装置１は、第２吸引壁１９、１９を被配置面２上に載せると、図５に示す第２の使用状態Ｂになり、吸引ファン３の駆動に応じ、被配置面２上の気体（例えばはんだ付け時の煙を含むエア）を第１吸引口（第１吸引壁１７の周端部１８）から吸引し、第１通路（第１吸引壁１７の内部空間）を介して側面部１４の内部空間へ送り、排気口２７から斜め上方（例えばオペレータから遠ざかる方向）へ向けて排出する。この第２の使用状態Ｂでは、前記第１通路の断面が通路全長に亘って大きく、また第２吸引口（排気側端部１９ｂ、１９ｂの間）は塞がれていない。
【００４２】
一方、第１吸引壁１７を被配置面２上に載せると第１の使用状態Ａになり、吸引ファン３の駆動に応じ、被配置面２上の気体（例えばはんだ付け時の煙を含むエア）を第２吸引口（端部１９ｂ、１９ｂの間の部分及び端部１９ａ、１９ａの間の部分）から吸引し、連通孔２１及び側面部１４の内部空間を経て排気口２７から斜め上方（例えばオペレータから遠ざかる方向）に排出する。この第１の使用状態Ａでは、上述したように連通孔２１の開口面積（Ｓ１）が側面部１４の内部空間の開口面積（Ｓ２）よりも小さいので、前述した第１通路を用いる第２の使用状態Ｂのときよりも前記気体の吸引速度を向上させ得る。このとき、開口面積（Ｓ１）は開口面積（Ｓ２）よりも十分に小さくするのが吸引速度を向上させる上で好ましい。また、第１の使用状態Ａでは、この場合の通路である第２通路を構成する連通孔２１の上下幅の中心が、第２の使用状態Ｂにおける通路である第１通路（第１吸引壁１７の内部空間）の上下幅の中心よりも低い被配置面２側に寄った位置になるため、吸煙装置１よりも吸引側の被配置面２が吸煙装置１により吸引される部分（空間）の上下幅を狭くするので、これによっても前記気体の吸引速度を向上させ得る。
【００４３】
したがって、本実施形態にあっては、第１の使用状態Ａと第２の使用状態Ｂとを選択することにより、吸引ファンの吸引能力が一定のままであっても吸引特性を切換えることができる。
【００４４】
また、本実施形態において、第１吸引壁１７の周端部１８が同一平面上に位置するように形成されているので、第１の使用状態Ａにおいて、被配置面２と周端部１８との間には隙間の形成が無く、これにより第１吸引口（第１吸引壁１７の周端部１８）を完全に塞ぐことが可能になる。
【００４５】
更に、本実施形態では側面部１４の吸引側のフィルタ取付部１５にフィルタ２５が設けられているので、第１吸引口または第２吸引口から吸引された煙や臭いなどをフィルタ２５が低減または削減することとなる。
【００４６】
更にまた、本実施形態では上述したように隔壁部１７ａが側面部１４の吸引側端部から周端部１８に向けて吸引ファン３の軸心３ａから離れるように傾斜しているので、第１吸引口から吸引する第２の使用状態Ｂのときに隔壁部１７ａが側面部１４の吸引側へ前記気体を案内する機能を有する。
【００４７】
なお、上述した実施形態では第１吸引口（第１吸引壁１７の周端部１８）を被配置面２上に載せた、つまりケース５を倒して第２吸引口（端部１９ｂ、１９ｂの間の部分及び端部１９ａ、１９ａの間の部分）から吸引を行う第１の使用状態Ａと、一対の第２吸引壁１９、１９を被配置面２上に載せた、つまりケース５を立てて第１吸引口から吸引を行う第２の使用状態Ｂとのいずれかに切換える例を説明しているが、本発明はこれに限らず、図６に示すスタンド３０を用いる第３の使用状態Ｃにおいても、開閉手段を用いることにより、第１吸引口から吸引する状態と第２吸引口から吸引する状態とのいずれかに切換える構成とすることが可能である。
【００４８】
上記開閉手段としては、図６に示すように蓋２９を用い、第１吸引口（第１吸引壁１７の周端部１８）を塞いで第１の使用状態Ａと同様な気体通流状態にしたり、或いは、図７に示すように第１吸引口から取り外した蓋２９で第２吸引口を塞いで第２の使用状態Ｂと同様な気体通流状態にしたりしてもよい。この場合、前記蓋２９は、第１の使用状態Ａと同様な気体通流状態と、第２の使用状態Ｂと同様な気体通流状態とに共用しているので、紛失する虞が無い。
【００４９】
但し、図７に示す第２の使用状態Ｂと同様な気体通流状態にする場合には、第２吸引口を構成する前記端部１９ｂ、１９ｂの間の部分と、前記端部１９ａ、１９ａの間の部分とのうちの前者（端部１９ｂ、１９ｂの間の部分）を、図８及び図９に示すように第２吸引壁１９と同じ突出長さの補助壁２０により塞ぐことが好ましい。この場合の第２吸引口は、後者（端部１９ａ、１９ａの間の部分）のみにすることが可能となる。
【００５０】
上述したようにスタンド３０を用いる第３の使用状態Ｃにおいては、ケース５の下を半田付け作業に利用し得る。
【００５１】
なお、上記図６及び図７に示す例では、第３の使用状態Ｃにおいて第１の使用状態Ａと同様な気体通流状態と第２の使用状態Ｂと同様な気体通流状態とのいずれかに切換える開閉手段として、蓋２９を用いているが、他の構成のものを用いてもよい。
【００５２】
更に、上述した実施形態では側面部１４の断面形状を矩形状としているが、本発明はこれに限らず、他の断面形状にしてもよい。例えば、断面円形状や断面多角形状などにしてもよい。
【００５３】
更にまた、上述した実施形態でははんだ付けに際し発生する煙を作業者から遠ざけるために本実施形態の吸煙装置を用いる例を挙げているが、本発明の吸煙装置ははんだ付け作業以外の作業時にも用いることができるのは勿論である。
【符号の説明】
【００５４】
１    吸煙装置
２    被配置面
３    吸引ファン
３ａ    軸心
５    ケース
５ａ    空間
７    駆動手段
１１    排気側端面部
１４    側面部
１４ｂ    取付部
１７    第１吸引壁
１７ａ    隔壁部
１８    周端部
１９    第２吸引壁
２０    補助壁
２１    連通孔
２５    フィルタ
２７    排気口
Ａ    第１の使用状態
Ｂ    第２の使用状態
Ｃ    第３の使用状態
【図１】
2010276295.tif 000003
【図２】
2010276295.tif 000004
【図３】
2010276295.tif 000005
【図４】
2010276295.tif 000006
【図５】
2010276295.tif 000007
【図６】
2010276295.tif 000008
【図７】
2010276295.tif 000009
【図８】
2010276295.tif 000010
【図９】
2010276295.tif 000011